(57)【特許請求の範囲】
【請求項１】
車両に搭載され、テレビジョン放送を受信して映像の録画および再生が可能な車載用ＴＶ録画再生装置であって、
受信するテレビジョン放送の映像を録画しながら、すでに録画されている映像の再生が可能な録画再生手段と、
車両の走行状態を監視する走行監視手段と、
走行監視手段の監視結果に応じて、車両の走行中はテレビジョン放送の映像の表示を禁止し、映像の録画を行いながらリアルタイムの音声を再生し、車両の停車中は該映像の録画を続けながら、すでに録画されており、かつリアルタイム音声の再生に応じて指定された映像の部分を、時間をずらすタイムシフトで再生するように、録画再生手段を制御する再生制御手段とを含むことを特徴とする車載用ＴＶ録画再生装置。
【請求項２】
前記再生制御手段は、車両の停車中は該映像の録画を続けながら、すでに録画されている映像の部分をタイムシフトで再生するように、前記録画再生手段を制御することを特徴とする請求項１記載の車載用ＴＶ録画再生装置。
【請求項３】
前記再生制御手段は、前記車両内で、前記車両の走行中に録画した映像の停止時のタイムシフト再生を車両前席側でのみ行い、該車両内の他の場所では常に映像を録画と同時にリアルタイムで再生するように、前記録画再生手段を制御することを特徴とする請求項２記載の車載用ＴＶ録画再生装置。
【請求項４】
前記再生制御手段は、録画されている映像を前記タイムシフトで再生する際に、該映像を前記リアルタイムで再生する速度よりも速い速度で再生するように、前記録画再生手段を制御することを特徴とする請求項２または３記載の車載用ＴＶ録画再生装置。
【請求項５】
前記再生制御手段は、前記映像をタイムシフトで再生するときの速度を、タイムシフト再生で再生対象となる映像の容量に対応して、容量が大きいときにはより速くなるように制御することを特徴とする請求項４記載の車載用ＴＶ録画再生装置。
【請求項６】
前記再生制御手段は、前記映像のタイムシフトでの再生時に、該映像に対応する音声を、無音部分を短縮して時短再生するように制御することを特徴とする請求項４または５記載の車載用ＴＶ録画再生装置。
【請求項７】
前記テレビジョン放送の受信状態を監視する受信監視手段をさらに含み、
前記再生制御手段は、受信監視手段の監視結果に応じて、該テレビジョン放送の受信状態が予め定める基準よりも悪いときの映像の部分を、前記タイムシフトで再生する対象から除外するように、前記録画再生手段を制御することを特徴とする請求項２〜６のいずれかに記載の車載用ＴＶ録画再生装置。
【請求項８】
車両に搭載され、テレビジョン放送を受信して映像の録画および再生が可能な車載用ＴＶ録画再生装置であって、
受信するテレビジョン放送の映像を録画しながら、すでに録画されている映像の再生が可能な録画再生手段と、
テレビジョン放送の受信状態を監視する受信監視手段と、
録画再生手段を制御して、テレビジョン放送の映像の録画を続けながら、すでに録画されており、かつリアルタイム音声の再生に応じて指定された映像の部分を、時間をずらすタイムシフトで再生するように制御し、受信監視手段の監視結果に応じて、該テレビジョン放送の受信状態が予め定める基準よりも悪いときの映像の部分を、該タイムシフトで再生する対象から除外し音声のみの再生を続けるように制御する録画制御手段とを含むことを特徴とする車載用ＴＶ録画再生装置。
【発明の詳細な説明】
【０００１】
【発明の属する技術分野】
本発明は、車両に搭載されてテレビジョン（以下、「ＴＶ」と略称することがある）放送を受信し、録画と再生とを行うことが可能な車載用ＴＶ録画再生装置に関する。
【０００２】
【従来の技術】
従来から、車両に搭載されるオーディオ・ビジュアル（ＡＶ）機能を有する機器では、テレビジョン放送の受信も可能なものがあり、車両の乗客など、運転者以外の搭乗者は、テレビジョン放送を視聴することができる。ただし、車両の走行中には、運転者がテレビジョン放送の映像を注視することは危険であり、運転者がテレビジョン放送を視聴可能なのは車両の停止中のみである。車両の運転者が、運転中に放送されているテレビジョン放送の番組を視聴したい場合は、いったん録画しておいて、後で再生する必要がある。番組の録画は、車両外の録画再生装置で、予約機能などを利用して行うことが可能である。
【０００３】
録画再生装置としては、一般的に、テープ状やディスク状の記録媒体を使用するものが使用される。ただし、そのような録画再生装置では、録画中の映像とは異なる映像の再生を行うことはできない。録画中の映像とは異なる映像の再生が可能な録画再生装置は、たとえば特開２０００−３５０１３０号公報に開示されている。この先行技術では、ランダムアクセス可能な外部記憶手段として、ハードディスク装置（ＨＤＤ）などの記録媒体を内蔵し、映像データを圧縮して録画し、録画された映像データを伸長させて再生することができる。記録媒体へ実際に録画される映像データは圧縮されるので、実際に記録媒体にアクセスする時間に対して、長時間分の映像データの録画と再生とが可能となり、映像データを録画しながら、すでに録画されている映像データの再生が可能となる。記録媒体に録画されている映像データは自由に再生することができ、特に、録画中の映像データで時間をずらしながら再生するタイムシフト再生も可能である。
【０００４】
また、ソニー株式会社からは、ＳＶＲ−７１５の型名で、ハードディスクビデオレコーダが発売されている。この製品では、録画中の番組を、いますぐ最初から見られる「追いかけ再生」や、音声は聞きやすいまま、再生時間を短縮する「早見再生」など、多様な形式の再生が可能とされている。
【０００５】
【発明が解決しようとする課題】
車両の運転者は、視聴したいテレビジョン放送の番組がある場合、「運転中にＴＶを注視すると危険⇔ＴＶを見逃したくない」という相反する要望が生じる。テレビジョン放送の番組を、車両外の録画再生装置の予約機能で録画しておいて後で再生するようにしても、車両で録画再生装置の設置してある場所まで移動してからしか再生することはできないので、放送から再生までに時間がかかってしまい、運転者の待ち時間が増大してしまう。
【０００６】
ハードディスク装置などを記録媒体として利用し、タイムシフト再生が可能な記録再生装置を車両に搭載すれば、運転者はテレビジョン放送を録画しながら走行し、停車時などにタイムシフト再生を行えば、放送から再生までに要する時間を短縮することができる可能性がある。ただし、録画されている内容は再生してみなければ判らない。見たい部分の有無が不明な状態で、録画されている最初の部分から再生してみても、停車時間が短いようなときには、あまり重要でない部分のみを再生するだけで終ってしまう可能性がある。また、車両の走行時には、テレビジョン放送の受信状態も時間的に変化し、見たい部分が判っていても、その放送時には受信状態が悪いこともある。再生してみて、受信状態が悪いことが判っても、再生する時間が無駄になってしまう。
【０００７】
本発明の目的は、車両の運転中の安全確保とテレビジョン放送の有効な視聴とが可能な車載用ＴＶ録画再生装置を提供することである。
【０００８】
【課題を解決するための手段】
本発明は、車両に搭載され、テレビジョン放送を受信して映像の録画および再生が可能な車載用ＴＶ録画再生装置であって、
受信するテレビジョン放送の映像を録画しながら、すでに録画されている映像の再生が可能な録画再生手段と、
車両の走行状態を監視する走行監視手段と、
走行監視手段の監視結果に応じて、車両の走行中はテレビジョン放送の映像の表示を禁止し、映像の録画を行いながらリアルタイムの音声を再生し、車両の停車中は該映像の録画を続けながら、すでに録画されており、かつリアルタイム音声の再生に応じて指定された映像の部分を、時間をずらすタイムシフトで再生するように、録画再生手段を制御する再生制御手段とを含むことを特徴とする車載用ＴＶ録画再生装置である。
【０００９】
本発明に従えば、車載用ＴＶ録画再生装置は、車両に搭載され、テレビジョン放送を受信して映像の録画および再生が可能であり、録画再生手段と走行監視手段と再生制御手段とを含む。録画再生手段は、受信するテレビジョン放送を受信して映像の録画および再生が可能であるので、テレビジョン放送の映像を録画したり再生したりすることができる。走行監視手段は、車両の走行状態を監視するので、車両が走行中であるか否かを監視結果として検知することができる。再生制御手段は、走行監視手段の監視結果に応じて、車両の走行中はテレビジョン放送の映像の表示を禁止し、映像の録画を行いながらリアルタイムの音声を再生し、車両の停車中は該映像の録画を続けながら、すでに録画されており、かつリアルタイム音声の再生に応じて指定された映像の部分を、時間をずらすタイムシフトで再生するように、録画再生手段を制御する。運転者が音声を聴いて見たい部分が判っているときは、その部分を指定して再生させることができる。車両の走行中は、テレビジョン放送の映像を録画し、音声のみリアルタイムで再生するので、音声で放送の内容や受信状態を知ることができる。車両の走行中は、映像の再生を行わないので、車両の運転者は映像を注視することはなく、視力は車両の運転に使用して、運転中の安全確保を図ることができる。車両が停止すると、録画されている映像がタイムシフトで再生されるので、車両の運転者は、リアルタイムでの音声再生を聴いた結果から判断される見たい部分について、注視することができる。
また本発明で、前記再生制御手段は、車両の停車中は該映像の録画を続けながら、すでに録画されている映像の部分をタイムシフトで再生するように、前記録画再生手段を制御することを特徴とする。
本発明に従えば、車両の停車中は該映像の録画を続けながら、すでに録画されている映像の部分を、時間をずらすタイムシフトで再生するように、録画再生手段を制御する。このように、車両が停止すると、録画されている映像がタイムシフトで再生されるので、車両の運転者は、リアルタイムでの音声再生を聴いた結果から判断される見たい部分について、注視することができる。
【００１０】
また本発明で、前記再生制御手段は、前記車両内で、前記車両の走行中に録画した映像の停止時のタイムシフト再生を車両前席側でのみ行い、該車両内の他の場所では常に映像を録画と同時にリアルタイムで再生するように、前記録画再生手段を制御することを特徴とする。
【００１１】
本発明に従えば、車両に運転者以外の搭乗者がいるときに、車両前席側でのみ、テレビジョン放送の映像を車両の走行中に録画して、停車時にタイムシフトで再生し、他の場所では常に映像を録画と同時にリアルタイムで再生するので、運転者以外の搭乗者には通常のテレビジョン放送として映像を視聴させることができる。
【００１２】
また本発明で、前記再生制御手段は、録画されている映像を前記タイムシフトで再生する際に、該映像を前記リアルタイムで再生する速度よりも速い速度で再生するように、前記録画再生手段を制御することを特徴とする。
【００１３】
本発明に従えば、録画されている映像をタイムシフトで再生する際に、リアルタイムで再生する速度よりも速い速度で再生するので、タイムシフトでの再生を続ければ、リアルタイムで放送されている映像との時間差が縮まって、追いつくようにすることができる。
【００１４】
また本発明で、前記再生制御手段は、前記映像をタイムシフトで再生するときの速度を、タイムシフト再生で再生対象となる映像の容量に対応して、容量が大きいときにはより速くなるように制御することを特徴とする。
【００１５】
本発明に従えば、映像のタイムシフトでの再生で、たとえば前回の停止からの経過時間が長くなり、タイムシフト再生した部分から録画した映像の容量が大きいときには、次の停止でタイムシフト再生する速度をより速くなるように制御するので、短時間で録画されている映像を見ることができる。
【００１６】
また本発明で、前記再生制御手段は、前記映像のタイムシフトでの再生時に、該映像に対応する音声を、無音部分を短縮して時短再生するように制御することを特徴とする。
【００１７】
本発明に従えば、映像のタイムシフト再生では、映像に対応する音声の再生を、無音部分を短縮して時短再生するので、映像の再生速度は速くなっても、音声の再生は音程や音質を変えずに行うことができ、発声者の特色を失わずに再生することができる。
【００１８】
また本発明は、前記テレビジョン放送の受信状態を監視する受信監視手段をさらに含み、
前記再生制御手段は、受信監視手段の監視結果に応じて、該テレビジョン放送の受信状態が予め定める基準よりも悪いときの映像の部分を、前記タイムシフトで再生する対象から除外するように、前記録画再生手段を制御することを特徴とする。
【００１９】
本発明に従えば、テレビジョン放送の受信状態を受信監視手段で監視して、受信状態が予め定める基準よりも悪いときは、映像をタイムシフトでの再生の対象から除外するので、受信状態が悪い映像を再生しないで、有効なタイムシフト再生を行うことができる。
【００２０】
さらに本発明は、車両に搭載され、テレビジョン放送を受信して
の録画および再生が可能な車載用ＴＶ録画再生装置であって、
受信するテレビジョン放送の映像を録画しながら、すでに録画されている映像の再生が可能な録画再生手段と、
テレビジョン放送の受信状態を監視する受信監視手段と、
録画再生手段を制御して、テレビジョン放送の映像の録画を続けながら、すでに録画されており、かつリアルタイム音声の再生に応じて指定された映像の部分を、時間をずらすタイムシフトで再生するように制御し、受信監視手段の監視結果に応じて、該テレビジョン放送の受信状態が予め定める基準よりも悪いときの映像の部分を、該タイムシフトで再生する対象から除外し音声のみの再生を続けるように制御する録画制御手段とを含むことを特徴とする車載用ＴＶ録画再生装置である。
【００２１】
本発明に従えば、車載用ＴＶ録画再生装置は、車両に搭載され、テレビジョン放送を受信して映像の録画および再生が可能であり、録画再生手段と受信監視手段と録画制御手段とを含む。録画再生手段は、受信するテレビジョン放送を受信して映像の録画および再生が可能であるので、テレビジョン放送の映像を録画したり再生したり、音声を聴いて見たい部分が判っているときは、その部分を指定して再生させることができる。受信監視手段は、テレビジョン放送の受信状態を監視するので、車両が走行中でテレビジョン放送の受信状態が悪くなっていることなどを監視結果として検知することができる。録画制御手段は、受信監視手段の監視結果に応じて、受信状態が予め定める基準よりも悪いときの映像をタイムシフトで再生する対象から除外して、音声のみの再生を続ける。タイムシフト再生の対象からの除外は、たとえば受信状態が悪いときは録画しないようにしたり、録画と同時に受信状態を記録して、タイムシフト再生時に再生しないようにして実行することができる。受信状態が予め定める基準よりも悪いときは、映像をタイムシフトでの再生の対象から除外して音声のみの再生を続けるので、受信状態が悪いときでも、車両の運転者は、音声によって放送の内容を知ることができる。
【００２２】
【発明の実施の形態】
図１は、本発明の実施の一形態である車載用ＴＶ録画再生装置１の概略的な電気的構成を示す。車載用ＴＶ録画再生装置１は、自動車の車両に搭載され、走行中もテレビジョン放送が受信可能な車載ＴＶ装置２を備える。車載用ＴＶ録画再生装置１は、さらに、記録媒体３、動画処理装置４、前席表示装置５、後席表示装置６、前席用スピーカ７、後席用スピーカ８、前席用入力装置９、後席用入力装置１０を含む。車載ＴＶ装置２内には、ＣＰＵ１１、ＲＡＭ１２、タイマ１３および電界検出回路１４などが含まれる。車載用ＴＶ録画再生装置２には、車両の車速を検出する車速センサ１５も含まれる。本実施形態の車載用ＴＶ録画再生装置１は、車速検出センサ１５からの車速データに基づいて、車両が走行中であるか否かを判断することができる。前席表示装置５や後席表示装置６の表示画面は、ナビゲーション装置１６が道路地図や自車位置などを表示する表示画面として使用することもできる。
【００２３】
車載用ＴＶ録画再生装置１は、車載ＴＶ装置２が受信するテレビジョン放送の映像および音声を、記録媒体３に録画および録音して記録するとともに、すでに記録されている映像および音声を読出して再生することもできる。記録媒体３は、たとえばハードディスク、ＤＶＤ−ＲＡＭやＤＶＤ−ＲＷなどの記録再生が可能なデジタル多用途ディスク、半導体メモリなど、記録可能な容量が大きく、しかも高速かつランダムに記録再生が可能なものを使用して実現される。テレビジョン放送がデジタル方式であれば、復調したデータが記録され、アナログ方式であれば復調信号をデジタルデータに変換して記録される。記録の際には、時間軸を圧縮して記録される。
【００２４】
図２は、図１の実施形態の車載用ＴＶ録画再生装置１での概略的なテレビジョン放送の受信、録画、再生の手順を示す。本手順は、運転者の座る前席が対象である。電源スイッチの投入などで、ステップａ０から手順が開始され、ステップａ１ではテレビジョン放送の受信が行われる。たとえば１フレーム分の映像を構成するデータと、この間の音声を表すデータとが受信されると、ステップａ２で、受信した映像および音声をそれぞれ表すデータの記録媒体３への記録が行われる。ステップａ３では、音声についての再生も行われる。このとき、映像は再生されない。ステップａ４では、車速検出センサ１５からの車速データに基づいて、車両が走行中であるか否かを判断する。車速データが０ではなく、車両が走行中であればステップａ１に戻る。車両が走行中のときには、音声のみの再生となる。
【００２５】
ステップａ４で、車速データが０であり、車両が走行中でないと判断されるときは、ステップａ５で前席用入力装置９からの指示入力があるか否かを判断する。指示入力がなければ、ステップａ６で、記録媒体３に録画されていて未再生の映像の録画容量を算出する。ステップａ７では録画容量に応じて再生速度を決定する。たとえば、録画容量がある一定時間以上分あるときには、最速の再生速度を設定し、録画容量が小さくなると、再生速度も遅くする。ただし、リアルタイムでの再生速度よりは速くする。ステップａ８では、設定された再生速度で映像のタイムシフト再生を行う。ステップａ９では、再生する映像に対応する音声のデータについて、無音部分をとばす時短再生を行う。
【００２６】
すなわち、本実施形態の車載用ＴＶ録画再生装置１は、車両に搭載され、テレビジョン放送を受信して映像の録画および再生が可能であり、記録媒体３と車速検出センサ１５と車載ＴＶ装置２とを含む。記録媒体３は、受信するテレビジョン放送を受信して映像の録画および再生が可能な録画再生手段として機能するので、テレビジョン放送の映像を録画したり再生したりすることができる。車速検出センサ１５は、車両の走行状態を監視する走行監視手段として機能するので、車両が走行中であるか否かを監視結果として検知することができる。車載ＴＶ装置２は、車速検出センサ１５の監視結果である車速データに応じて、車両の走行中はテレビジョン放送の映像の表示を禁止し、映像の録画を行い（音声のみをリアルタイムで再生してもよい）、車両の停車中は映像の録画を続けながら、すでに録画されている映像の部分を、時間をずらすタイムシフトで再生するように、記録媒体３を制御する。車両の走行中は、テレビジョン放送の映像を録画し、音声のみリアルタイムで再生するので、音声で放送の内容や受信状態を知ることができる。なお、他にもテレビジョン放送の映像を録画しながら、音声は他のソース（たとえばＭＤ、ＣＤなど）に切換えて再生してもよい。したがって、映像の再生は行わないため、車両の運転者は映像を注視することはなく、視力は車両の運転に使用して、運転中の安全確保を図ることができる。車両が停止すると、録画されている映像がタイムシフトで再生されるので、車両の運転者は、リアルタイムでの音声再生を聴いた結果から判断される見たい部分について、注視することができる。
【００２７】
また本実施形態で、車載ＴＶ装置２は、録画されている映像をタイムシフトで再生する際に、映像をリアルタイムで再生する速度よりも速い速度で再生するように、記録媒体３を制御する。録画されている映像をタイムシフトで再生する際に、リアルタイムで再生する速度よりも速い速度で再生するので、タイムシフトでの再生を続ければ、リアルタイムで放送されている映像との時間差が縮まって、追いつくようにすることができる。映像をタイムシフトで再生するときの速度は、タイムシフト再生で再生対象となる映像の容量に対応して、容量が大きいときにはより速くなるように制御される。たとえば前回の停止からの経過時間が長くなり、タイムシフト再生した部分から録画した映像の容量が大きいときには、次の停止でタイムシフト再生する速度をより速くなるように制御するので、短時間で録画されている映像を見ることができる。また、映像のタイムシフトでの再生時に、再生速度を速めることに対応して、映像に対応する音声を、無音部分を短縮して時短再生するように制御するので、映像の再生速度は速くなっても、音声の再生は音程や音質を変えずに行うことができ、発声者の特色を失わずに再生することができる。
【００２８】
図２のステップａ５で、前席入力装置９への指示入力があると判断されるときは、ステップａ１０で指示に従う再生を行う。ステップａ１０の後はステップａ１に戻る。たとえば運転者が音声を聴いて見たい部分が判っているときは、前席入力装置９への入力でその部分を指定して再生させることができる。なお、後席表示装置６および後席用スピーカ８を用いる後席用の再生は、後席入力装置１０への指示入力のみに基づいて行えばよく、通常、車両の走行中でも、リアルタイムでのテレビジョン放送の再生が可能である。
【００２９】
また実施形態では、車両内で、車両の走行中に録画した映像の停止時のタイムシフト再生を、運転席など、予め定める運転に関係する場所でのみ行い、後席などの車両内の他の場所では常に映像を録画と同時にリアルタイムで再生するので、運転者以外の搭乗者には通常のテレビジョン放送として映像を視聴させることができる。
【００３０】
図３は、図１の記録媒体３に記録するデータの構造を示す。受信されるテレビジョン放送の映像データは、たとえば１または所定数フレーム毎に記録媒体３に録画データとして、映像データ番号が順次的に付されて記録される。映像データと同時に受信される音声データも、録音データとして同一の映像データ番号に対して記録される。受信状態が悪い部分には、フラグとして１がセットされ、フラグ１が続く部分の最初のデータには、フラグ１が継続する区間の長さに相当する悪化時間ｗ１，ｗ２などが記録される。
【００３１】
本実施形態の車載用ＴＶ録画再生装置１では、車載ＴＶ装置２内の電界検出回路１４を、受信するテレビジョン放送の受信状態を監視する受信監視手段として機能させる。車載ＴＶ装置２は、電界検出回路１４が検出する受信状態に応じ、テレビジョン放送の受信状態が予め定める基準よりも悪いときの映像の部分を、タイムシフトで再生する対象から除外するように、記録媒体３を制御する。テレビジョン放送の受信状態が予め定める基準、たとえば一定の電界強度に達しなかったり、信号対雑音比（Ｓ／Ｎ比）が一定の値よりも悪いときは、映像をタイムシフトでの再生の対象から除外するので、受信状態が悪い映像を再生しないで、有効なタイムシフト再生を行うことができる。
【００３２】
図４は、車載ＴＶ装置２が図３に示すようなデータを記録媒体３に記録する録画時の制御手順を示す。ステップｂ０から手順を開始し、ステップｂ１では一定時間分の映像と音声とを記録媒体３に記録する。ステップｂ２では、電界検出回路１４が検出する電界強度が予め定める基準より低下して、受信状態が悪化しているか否かを判断する。テレビジョン放送がデジタル方式で行われているときには、エラー検出が可能なように符号化されているので、エラーの検出状態で受信状態の悪化を判断することもできる。受信状態が悪化していないと判断されるときには、ステップｂ１に戻り、記録を続ける。このとき図３に示すフラグは０にセットされる。
【００３３】
ステップｂ２で、受信状態が悪化していると判断されるときには、ステップｂ３でフラグを１にセットし、ステップｂ４でタイマ１３による時間計測を行う。ステップｂ５では受信状態が回復しているか否かを判断し、回復していないと判断されるときにはステップｂ４に戻り、時間計測を続ける。ステップｂ５で受信状態が回復していると判断されるときには、ステップｂ６でフラグを０にセットし、ステップｂ７でタイマ１３の計測時間を受信状態悪化の最初のデータに追加し、ステップｂ８でタイマ１３をリセットしてステップｂ１に戻る。
【００３４】
図５は、図３に示すようなデータが記録されている記録媒体３からデータを読出す再生時の制御手順を示す。ステップｃ０から手順を開始し、ステップｃ１では、記録されている映像データ番号順に、録画データと録音データとを読出し、ステップｃ２では悪化時間が追加されているか否かを判断する。悪化時間が追加されていると判断されるときは、ステップｃ３で、悪化時間が追加されている映像データ番号の直前の映像データ番号に対応する録画データの映像を静止表示する。ステップｃ４で、録音データは音声データとして再生する。ステップｃ５では、次の映像データ番号に対応する録画データおよび録音データを読出し、ステップｃ６では悪化時間分の読出しが終了しているか否かを判断する。悪化時間分の読出しが終了していないと判断されるときには、ステップｃ４に戻り、音声のみの再生を続ける。ステップｃ６で悪化時間分の読出しが終了していると判断されるときは、読出されている録画データおよび録音データについて、ステップｃ７で映像および音声の再生を行い、ステップｃ１に戻る。
【００３５】
なお、再生は、各映像データ番号毎の録画データおよび録音データを読出す時間間隔を短縮することによって、前述のように再生速度を速めることができる。また、受信状態が悪化しているときには、録画を行わないようにすることもできる。さらに、音声をリアルタイムで再生している場合には、受信悪化状態の静止表示を行わずに、再生をとばすようにすることもできる。また、車両の走行中などは、前席用入力装置９からの指示に従って、録画および録音のみを行い、その際に受信状態の悪化に対する処理を行っておき、車両の停止中などに、映像および音声の再生を行う際には、受信状態の悪化の部分を除外して再生するようにすることもできる。
【００３６】
以上のように本発明によれば、車両の走行中は、テレビジョン放送の映像の録画を行いながら、音声のみリアルタイムで再生するので、音声で放送の内容や受信状態を知ることができる。車両の走行中は、映像の再生を行わないので、車両の運転者は映像を注視することはなく、運転中の安全確保を図ることができる。車両が停止すると、録画されており、かつリアルタイム音声の再生に応じて指定された映像の部分がタイムシフトで再生されるので、車両の運転者は、リアルタイムでの音声再生を聴いた結果から判断される見たい部分について、注視して、短い停車時間などを有効に利用することができる。
また本発明によれば、車両が停止すると、録画されている映像がタイムシフトで再生されるので、車両の運転者は、リアルタイムでの音声再生を聴いた結果から判断される見たい部分について、注視することができる。
【００３７】
また本発明によれば、車両に運転者以外の搭乗者がいるときに、運転者以外の搭乗者には通常のテレビジョン放送としてリアルタイムで再生する映像を視聴させることができる。
【００３８】
また本発明によれば、録画されている映像をタイムシフトで再生する際に、リアルタイムで再生する速度よりも速い速度で再生するので、リアルタイムで放送されている映像との時間差が縮めて、追いつくように再生することができる。
【００３９】
また本発明によれば、映像のタイムシフトでの再生で、再生対象となる映像の容量が大きいときには、タイムシフト再生する速度をより速くなるように制御するので、短時間で録画されている映像を見ることができる。
【００４０】
また本発明によれば、映像のタイムシフト再生では、映像に対応する音声の再生を、無音部分を短縮して時短再生するので、発声者の特色を失わずに速度を速めて再生することができる。
【００４１】
また本発明によれば、受信状態が悪い映像を再生しないで、有効なタイムシフト再生を行うことができる。
【００４２】
さらに本発明によれば、車両が走行中でテレビジョン放送の受信状態が予め定める基準よりも悪いときには、映像をタイムシフトでの再生の対象から除外して音声のみの再生を続けるので、受信状態が悪いときでも、車両の運転者は、音声によって放送の内容を知ることができる。
【図面の簡単な説明】
【図１】本発明の実施の一形態である車載用ＴＶ録画再生装置１の概略的な電気的構成を示すブロック図である。
【図２】図１の車載ＴＶ装置２の制御手順を示すフローチャートである。
【図３】図１の記録媒体３に記録されるデータの例を示す図である。
【図４】図１の車載ＴＶ装置２で記録を行う際の制御手順を示すフローチャートである。
【図５】図１の車載ＴＶ装置２で再生を行う際の制御手順を示すフローチャートである。
【符号の説明】
１  車載用ＴＶ録画再生装置
２  車載ＴＶ装置
５  前席表示装置
６  後席表示装置
７  前席用スピーカ
８  後席用スピーカ
９  前席用入力装置
１０  後席用入力装置
１３  タイマ
１４  電界検出回路
１５  車速検出センサ
【図１】
0004516261.tif 000002
【図２】
0004516261.tif 000003
【図３】
0004516261.tif 000004
【図４】
0004516261.tif 000005
【図５】
0004516261.tif 000006